(57)【特許請求の範囲】
【請求項１】
光ディスクの所定の記録層に向けた出射光を発生する光源と、
前記出射光を前記所定の記録層で集束させる対物レンズと、
前記出射光が前記所定の記録層で反射し前記対物レンズを通過した反射光を受光する受光器と、
前記対物レンズと前記受光器との間に配置され、前記受光器に向けて集束してくる前記反射光の光軸を含んで互いに直交する２つの断面における焦点位置をそれぞれ前記受光器の前側と後側としたフォーカス制御用の光を生成する非点収差生成素子と、を備え、
前記非点収差生成素子は、面上に形成され、複数の輪帯部と、隣接する前記輪帯部をつなぐ段差部と、を有し、
前記対物レンズのトラッキング方向の動作にかかわらず前記所定の記録層よりも奥側の記録層からの反射光が前記非点収差生成素子において前記輪帯部にのみ入射する構成としたことを特徴とする光ピックアップ装置。
【請求項２】
前記非点収差生成素子は、前記輪帯部を反射鏡部とするフレネルミラーとしたことを特徴とする請求項１記載の光ピックアップ装置。
【請求項３】
前記非点収差生成素子は、前記輪帯部をレンズ部とするフレネルレンズとしたことを特徴とする請求項１記載の光ピックアップ装置。
【請求項４】
前記輪帯部は同心楕円状に形成され、前記奥側の記録層からの反射光は前記対物レンズのトラッキング方向の動作にかかわらず最も内側の前記輪帯部にのみ入射することを特徴とする請求項１記載の光ピックアップ装置。
【請求項５】
前記所定の記録層からの反射光を前記最も内側の輪帯部の中心部に入射させたことを特徴とする請求項４記載の光ピックアップ装置。
【請求項６】
前記光源は１層のみの記録層を有する第２の光ディスクに向けた第２の出射光を前記出射光の近傍で発生し、前記第２の出射光が前記第２の光ディスクで反射した反射光を前記最も内側の輪帯部の中心部からずれた位置に入射させたことを特徴とする請求項５記載の光ピックアップ装置。
【請求項７】
前記輪帯部のうち最も内側の輪帯部の高低差は前記段差部の高低差よりも大きくしたことを特徴とする請求項１記載の光ピックアップ装置。
【請求項８】
光ディスクの所定の記録層に向けた出射光を発生する光源と、
前記出射光を前記所定の記録層で集束させる対物レンズと、
前記出射光が前記所定の記録層で反射し前記対物レンズを通過した反射光を受光する受光器と、
前記対物レンズと前記受光器との間に配置され、前記受光器に向けて集束してくる前記反射光の光軸を含んで互いに直交する２つの断面における焦点位置をそれぞれ前記受光器の前側と後側としたフォーカス制御用の光を生成する非点収差生成素子と、を備え、
前記非点収差生成素子は、面上に形成され、複数の輪帯部と、隣接する前記輪帯部をつなぐ段差部と、を有し、
前記対物レンズのトラッキング方向の動作にかかわらず前記所定の記録層よりも奥側の記録層からの反射光が前記非点収差生成素子において前記輪帯部にのみ入射する構成としたことを特徴とする光ディスク装置。
【発明の詳細な説明】
【技術分野】
【０００１】
本発明は、パーソナルコンピュータ、ノートブック型コンピュータ等の電子機器に搭載される光ピックアップ装置及び光ディスク装置に関するものである。
【背景技術】
【０００２】
従来、光ピックアップ装置はコストの低減が図られてきており、簡略な構成が望まれている。図１９は従来の光ピックアップ装置の光学系構成を示す図である。光源２０１は光ディスク２１０の記録層２１１に向けた出射光２１４を発生する。回折素子２０２は回折格子２０３を有する。回折格子２０３は出射光２１４を回折してメインビームの０次光とサイドビームの±１次光とに分離する。回折格子２０３で分離された光はトラッキング制御に用いられる。集積プリズム２０４は内部に斜面２０５、２０６を有する。斜面２０５にはビームスプリッタ２０７が形成される。ビームスプリッタ２０７は出射光２１４が記録層２１１で反射された反射光２１５を出射光２１４から分離して受光器２１４に向かわせる。斜面２０６には非点収差生成素子としてのフレネルミラー２０８が形成される。
【０００３】
図２０（ａ）は通常の反射鏡の断面図、図２０（ｂ）はフレネルミラーの断面図である。通常の反射鏡２２１を所定の深さｄ毎の等高線で輪切りにして厚さ方向の寸法を詰めた反射鏡がフレネルミラー２２２である。したがって、フレネルミラー２２２は複数の輪帯部２２３と、隣接する輪帯部２２３をつなぐ段差部２２４と、を有する。フレネルミラー２２２の場合、輪帯部２２３は、反射鏡である。
【０００４】
図２１はフレネルミラーで構成された非点収差生成素子の平面図である。図２１において、線の部分が段差部２３３、線の部分と線の部分との間が輪帯部２３２に相当する。非点収差生成素子２３１において、段差部２３３は傾いた同心楕円状に形成されている。同心楕円の長軸と短軸が成す角度は９０度である。そのため、非点収差生成素子２３１は、反射光２１５の光軸を含んで互いに直交する２つの断面における焦点位置をそれぞれ受光器２１２の前側と後側とすることができる。こうして生成された光は非点収差法によるフォーカス制御に用いられる。
【０００５】
図１９において、対物レンズ２０９は、出射光２１４を記録層２１１で集束させる。光ディスク２１０は記録層２１１を有している。記録層２１１が１層の光ディスク２１０もあれば、複数の記録層２１１を有する光ディスク２１０もある。受光器２１２は受光部２１３を有し、受光部２１３は反射光２１５を受光する。受光器２１２は受光した光をフォーカス制御、トラッキング制御に用いられる電気信号に変換して出力する。
【０００６】
フレネルミラー２２２はフレネルレンズを用いても上記のような光ピックアップ装置の光学系は構成できる。非点収差生成素子としてフレネルレンズを用いた例として（特許文献１）、フレネルミラーを用いた例として（特許文献２）がある。
【特許文献１】特開昭６３−０４６４０２号公報
【特許文献２】特開２００８−０９０９９０号公報
【発明の開示】
【発明が解決しようとする課題】
【０００７】
ところが、非点収差生成素子としてフレネルミラーを用いた光ピックアップ装置を搭載した光ディスク装置を製造する場合、２層の記録層を有する光ディスクを用いて対物レンズをトラッキング方向に動作させて特性を評価する工程における不良率が高い。すなわち、トラッキング方向に対物レンズが動作すると奥側の記録層からの反射光が非点収差生成素子の輪帯部以外でも反射し、この結果として受光器の受光部において非点収差生成素子の段差部による反射光消失状態が発生し、これにより不良率が高くなる。
【０００８】
本発明は、上記課題を解決するもので、複数の記録層を有する光ディスクを用いて対物レンズをトラッキング方向に動作させて特性を評価する工程における不良率が低くなるような光ピックアップ装置及び光ディスク装置を提供することを目的とする。
【課題を解決するための手段】
【０００９】
上記課題を解決するために、本発明の光ピックアップ装置は、光ディスクの所定の記録層に向けた出射光を発生する光源と、前記出射光を前記所定の記録層で集束させる対物レンズと、前記出射光が前記所定の記録層で反射し前記対物レンズを通過した反射光を受光する受光器と、前記対物レンズと前記受光器との間に配置され、前記受光器に向けて集束してくる前記反射光の光軸を含んで互いに直交する２つの断面における焦点位置をそれぞれ前記受光器の前側と後側としたフォーカス制御用の光を生成する非点収差生成素子と、を備え、前記非点収差生成素子は、面上に形成され、複数の輪帯部と、隣接する前記輪帯部をつなぐ段差部と、を有し、前記対物レンズのトラッキング方向の動作にかかわらず前記所定の記録層よりも奥側の記録層からの反射光が前記非点収差生成素子において前記輪帯部にのみ入射する構成としたことを特徴とする。
【００１０】
所定の記録層よりも奥側の記録層からの反射光が輪帯部にのみ入射するため、奥側の記録層からの反射光が受光器の受光部において非点収差生成素子の段差部による反射光消失状態となることを防ぐことができる。
【発明の効果】
【００１１】
本発明は、対物レンズをトラッキング方向に動作させても所定の記録層以外の記録層による影響を受ける度合いが小さい。そのため、複数の記録層を有する光ディスクを用いて対物レンズをトラッキング方向に動作させて特性を評価する工程における不良率を低くすることができる。すなわち、本発明によれば、トラッキング方向への対物レンズ動作時においても奥側の記録層からの反射光は非点収差生成素子の輪帯部のみに入射するので、反射光消失状態は発生せず、この効果として不良率を低くすることができる。
【発明を実施するための最良の形態】
【００１２】
本発明の請求項１の発明は、光ディスクの所定の記録層に向けた出射光を発生する光源と、出射光を所定の記録層で集束させる対物レンズと、出射光が所定の記録層で反射し対物レンズを通過した反射光を受光する受光器と、対物レンズと受光器との間に配置され、受光器に向けて集束してくる反射光の光軸を含んで互いに直交する２つの断面における焦点位置をそれぞれ受光器の前側と後側としたフォーカス制御用の光を生成する非点収差生成素子と、を備え、非点収差生成素子は、面上に形成され、複数の輪帯部と、隣接する輪帯部をつなぐ段差部と、を有し、対物レンズのトラッキング方向の動作にかかわらず所定の記録層よりも奥側の記録層からの反射光が非点収差生成素子において輪帯部にのみ入射する構成とした光ピックアップ装置とした。
【００１３】
所定の記録層よりも奥側の記録層からの反射光の焦点位置は、所定の記録層からの反射光の焦点位置よりも光ディスクに近い。そのため、奥側の記録層からの反射光は、所定の記録層からの反射光よりも集束した状態で非点収差生成素子に入射する。一方、対物レンズがトラッキング方向に動作すると非点収差生成素子に入射する反射光の位置も変化する。そして反射光が非点収差生成素子の段差部にかかると段差部で反射された光は受光器に正しく入射しない。その影響を受ける度合いは入射する反射光が集光されているほど大きい。本発明において、奥側の記録層からの反射光は、非点収差生成素子の輪帯部にのみ入射する構成としたため、段差部による影響を受ける度合いは小さい。そのため、複数の記録層を有する光ディスクを用いて対物レンズをトラッキング方向に動作させて特性を評価する工程における不良率を低くすることができる。すなわち、本発明によれば、トラッキング方向への対物レンズ動作時においても奥側の記録層からの反射光は非点収差生成素子の輪帯部のみに入射するので、反射光消失状態は発生せず、この効果として不良率を低くすることができる。
【００１４】
請求項２の発明は、請求項１の発明において、非点収差生成素子は、輪帯部を反射鏡部とするフレネルミラーとした光ピックアップ装置とした。
【００１５】
フレネルミラーは、回折型のミラーよりも多次回折光の発生を抑制することができるため、光ディスクからの反射光をフォーカス制御用の光として効率良く利用することができる。
【００１６】
請求項３の発明は、請求項１の発明において、非点収差生成素子は、輪帯部をレンズ部とするフレネルレンズとした光ピックアップ装置とした。
【００１７】
フレネルレンズは、回折型のレンズよりも多次回折光の発生を抑制することができるため、光ディスクからの反射光をフォーカス制御用の光として効率良く利用することができる。
【００１８】
請求項４の発明は、請求項１の発明において、輪帯部は同心楕円状に形成され、奥側の記録層からの反射光は対物レンズのトラッキング方向の動作にかかわらず最も内側の輪帯部にのみ入射する光ピックアップ装置とした。
【００１９】
最も内側の輪帯部は、トラッキング方向に相当する方向の長さが長く、対物レンズの位置が大きく変化しても奥側の記録層からの反射光は最も内側の輪帯部からはみ出しにくい。そのため、トラッキング方向への対物レンズ動作時においても奥側の記録層からの反射光は非点収差生成素子の輪帯部のみに入射するので、反射光消失状態は発生せず、この効果として不良率を低くすることができる。
【００２０】
請求項５の発明は、請求項４の発明において、所定の記録層からの反射光を最も内側の輪帯部の中心部に入射させた光ピックアップ装置とした。
【００２１】
対物レンズがトラッキング方向のどちらの向きに動作しても、奥側の記録層からの反射光は輪帯部からはみ出しにくい。そのため、トラッキング方向への対物レンズ動作時においても奥側の記録層からの反射光は非点収差生成素子の輪帯部のみに入射するので、反射光消失状態は発生せず、この効果として不良率を低くすることができる。
【００２２】
請求項６の発明は、請求項５の発明において、光源は１層のみの記録層を有する第２の光ディスクに向けた第２の出射光を出射光の近傍で発生し、第２の出射光が第２の光ディスクで反射した反射光を最も内側の輪帯部の中心部からずれた位置に入射させた光ピックアップ装置とした。
【００２３】
第２の光ディスクは、記録層は１層のみなので、その記録層以外からの反射光は本来存在しない。そのため、非点収差生成素子に集束状態で入射する光が存在しないので反射光消失状態は発生しない。したがって、第２の出射光が第２の光ディスクで反射した反射光が段差部に入射しても影響は小さいため、最も内側の輪帯部の中心部からずれた位置に入射させることができる。よって、２種類の出射光を発生させる光源を用いた光ピックアップ装置を構成することができる。
【００２４】
請求項７の発明は、請求項１の発明において、輪帯部のうち最も内側の輪帯部の高低差は段差部の高低差よりも大きくした光ピックアップ装置とした。
【００２５】
最も内側の輪帯部の高低差を大きくすることで、最も内側の輪帯部の中心部から最も内側の段差部までの距離を大きくすることができる。したがって、対物レンズの位置が大きく変化しても奥側の記録層からの反射光は最も内側の輪帯部からはみ出しにくい。そのため、トラッキング方向への対物レンズ動作時においても奥側の記録層からの反射光は非点収差生成素子の輪帯部のみに入射するので、反射光消失状態は発生せず、この効果として不良率を低くすることができる。
【００２６】
請求項８の発明は、光ディスクの所定の記録層に向けた出射光を発生する光源と、出射光を所定の記録層で集束させる対物レンズと、出射光が所定の記録層で反射し対物レンズを通過した反射光を受光する受光器と、対物レンズと受光器との間に配置され、受光器に向けて集束してくる反射光の光軸を含んで互いに直交する２つの断面における焦点位置をそれぞれ受光器の前側と後側としたフォーカス制御用の光を生成する非点収差生成素子と、を備え、非点収差生成素子は、面上に形成され、複数の輪帯部と、隣接する輪帯部をつなぐ段差部と、を有し、対物レンズのトラッキング方向の動作にかかわらず所定の記録層よりも奥側の記録層からの反射光が非点収差生成素子において輪帯部にのみ入射する構成とした光ディスク装置とした。
【００２７】
所定の記録層よりも奥側の記録層からの反射光の焦点位置は、所定の記録層からの反射光の焦点位置よりも光ディスクに近い。そのため、奥側の記録層からの反射光は、所定の記録層からの反射光よりも集束した状態で非点収差生成素子に入射する。一方、対物レンズがトラッキング方向に動作すると非点収差生成素子に入射する反射光の位置も変化する。そして反射光が非点収差生成素子の段差部にかかると段差部で反射された光は受光器に正しく入射しない。その影響を受ける度合いは入射する反射光が集光されているほど大きい。本発明において、奥側の記録層からの反射光は、非点収差生成素子の輪帯部にのみ入射する構成としたため、段差部による影響を受ける度合いは小さい。そのため、複数の記録層を有する光ディスクを用いて対物レンズをトラッキング方向に動作させて特性を評価する工程における不良率を低くすることができる。すなわち、本発明によれば、トラッキング方向への対物レンズ動作時においても奥側の記録層からの反射光は非点収差生成素子の輪帯部のみに入射するので、反射光消失状態は発生せず、この効果として不良率を低くすることができる。
【００２８】
（実施の形態１）
本実施の形態１について、図面を参照しながら説明する。まず、本発明について簡単に概略を説明する。
【００２９】
図１（ａ）は本実施の形態１の光ピックアップ装置におけるＬ０層からの反射光の経路を示す図、図１（ｂ）はＬ１層からの反射光の経路を示す図、図１（ｃ）は本実施の形態１における集積プリズムの構成図である。また、図２（ａ）は本実施の形態１における非点収差生成素子に入射するＬ０層からの反射光のスポットを示す図、図２（ｂ）は本実施の形態１における非点収差生成素子に入射するＬ１層からの反射光のスポットを示す図、図２（ｃ）は従来の非点収差生成素子に入射するＬ０層からの反射光のスポットを示す図、図２（ｄ）は従来の非点収差生成素子に入射するＬ１層からの反射光のスポットを示す図である。また、図３（ａ）は本実施の形態１における受光器上のＬ１層からの反射光のスポットを示す図、図３（ｂ）は従来の受光器上のＬ１層からの反射光のスポットを示す図である。
【００３０】
光源１１は光ディスク２０の所定の記録層であるＬ０層２１に向けた出射光２５を発生する。対物レンズ１９は出射光２５をＬ０層２１で集束させる。受光器２３は出射光２５がＬ０層２１で反射し対物レンズ１９を通過した反射光２６を受光する。非点収差生成素子１８は対物レンズ１９と受光器２３との間に配置され、受光器２３に向けて集束してくる反射光２６の光軸を含んで互いに直交する２つの断面における焦点位置をそれぞれ受光器２３の前側と後側としたフォーカス制御用の光を生成する。非点収差生成素子１８は、斜面１６上に形成され、複数の輪帯部２９と、隣接する輪帯部２９をつなぐ段差部３０と、を有する。そして、本発明の光ピックアップ装置は対物レンズ１９のトラッキング方向の動作にかかわらずＬ０層２１よりも奥側の記録層であるＬ１層２２からの反射光２７が非点収差生成素子１８において輪帯部２９にのみ入射する構成とした。ここで、非点収差生成素子１８はフレネルミラー３０であり、輪帯部２９は、反射鏡部とした。
【００３１】
図１（ａ）に示すＬ０層２１からの反射光２６の焦点位置は受光器２３近傍である。したがって、反射光２６は非点収差生成素子１８に広がった状態で入射する。一方、Ｌ０層２１に入射した出射光２５の一部はそのまま透過し、Ｌ１層２２に広がった状態で入射して反射し、図１（ｂ）に示すように受光器２３に到達する。Ｌ１層２２からの反射光２７の焦点位置は受光器２３の近傍ではなく、光ディスク２０により近い位置となる。そのため、Ｌ１層２２からの反射光２７は、Ｌ０層２１からの反射光２６よりも集束した状態で非点収差生成素子１８に入射する。したがって、図２（ｂ）に示すＬ１層２２からの反射光２７によるスポット５２は図２（ａ）に示すＬ０層２１からの反射光２６によるスポット５０よりも小さい。一方、対物レンズ２９がトラッキング方向に動作すると、非点収差生成素子１８に入射する反射光２７のスポット５２の位置も、対物レンズ２９の動作に伴い、スポット５３、スポット５４のような位置に変化する。そして例えば、スポット５３が図２（ｄ）に示すように非点収差生成素子１８の段差部３０にかかると段差部３０で反射された光は、図３（ｂ）に示すように、反射光消失状態を発生し、受光器２１２に正しく入射しない。その影響を受ける度合いは入射する反射光２７が集光されているほど大きい。
【００３２】
本発明において、Ｌ１層２２からの反射光２７は、非点収差生成素子１８の輪帯部２９にのみ入射する構成としたため、段差部３０による影響を受ける度合いは小さい。そのため、複数の記録層を有する光ディスク２０を用いて対物レンズ１９をトラッキング方向に動作させて特性を評価する工程における不良率を低くすることができる。すなわち、本発明によれば、トラッキング方向への対物レンズ１９の動作時においてもＬ１層２２からの反射光２７は非点収差生成素子１８の輪帯部２９のみに入射するので、反射光消失状態は発生せず、この効果として不良率を低くすることができる。
【００３３】
次に本実施の形態１についてさらに詳細に説明する。図１において、光源１１が発生する出射光２５は波長λ１が約６５０ｎｍである。また、光源１１は波長λ２が約７８０ｎｍの第２の出射光を出射光２５の近傍で発生させる。出射光２５の出射位置と第２の出射光の出射位置とは１１０μｍ程度の距離である。出射光２５はＤＶＤの記録や再生に用いられる。また、第２の出射光はＣＤの記録や再生に用いられる。
【００３４】
図４（ａ）は本実施の形態１における回折素子の斜視構成図、図４（ｂ）は回折素子の上面からの透視図、図４（ｃ）は回折素子の側面からの断面図である。回折素子１２は２枚の基板１２ａ、１２ｂの間に回折格子１３を挟んだ構成である。回折格子１３はＤＶＤ用の光を回折するＤＶＤ用回折格子１３ａとＣＤ用の光を回折するＣＤ用回折格子１３ｂとを直列に並べた構成である。ＤＶＤ用回折格子１３ａとＣＤ用回折格子１３ｂとの間に基板１２ｃを挟んでいる。基板１２ａ、１２ｂ、１２ｃにはＢＫ７等の光学ガラスが用いられる。基板１２ｃを省略し、基板１２ａに形成したＤＶＤ用回折格子１３ａと基板１２ｂに形成したＣＤ用回折格子１３ｂとを直接貼り合わせても構わない。
【００３５】
ＤＶＤ用回折格子１３ａは、所定の深さ、間隔、方向の縞状に形成された第１凹凸部１３ｃと第１凹凸部１３ｃを充填するように形成された第１充填部１３ｄとで構成される。通常、第１凹凸部１３ｃも第１充填部１３ｄも透明樹脂で形成される。そして、第１凹凸部１３ｃまたは第１充填部１３ｄの少なくとも一方には所定の波長域に光吸収を持つ染料や顔料といった色素を含ませる。色素を含んだ場合の透明樹脂の屈折率は、色素を含まない場合の透明樹脂の屈折率に対して、所定の波長域に近い波長ほど大きい。そのようにして、第１凹凸部１３ｃの屈折率と第１充填部１３ｄの屈折率は、波長λ１では異なり、波長λ２では等しくなるように調整される。このため、第１回折格子１３ａは、ＤＶＤ用の光を回折し０次光と±１次光とに分離し、ＣＤ用の光をそのまま透過させる。
【００３６】
同様に、ＣＤ用回折格子１３ｂは、所定の深さ、間隔、方向の縞状に形成された第２凹凸部１３ｅと第２凹凸部１３ｅを充填するように形成された第２充填部１３ｆとで構成される。通常、第２凹凸部１３ｅも第２充填部１３ｆも透明樹脂で形成される。そして、第２凹凸部１３ｅまたは第２充填部１３ｆの少なくとも一方には所定の波長域に光吸収を持つ色素を含ませる。そのようにして、第２凹凸部１３ｅの屈折率と第２充填部１３ｆの屈折率は、波長λ１では等しく、波長λ２では異なるように調整される。このため、第２回折格子１３ｂは、ＤＶＤ用の光をそのまま透過させ、ＣＤ用の光を回折し０次光と±１次光とに分離する。このようにして得られた回折光はそれぞれＤＶＤのトラッキング制御とＣＤのトラッキング制御に用いられる。
【００３７】
図１において、非点収差生成素子１８が形成される集積プリズム１４はＢＫ７等の光学ガラスで形成される。集積プリズム１４は外形に対して４５度の傾きの斜面１５、１６を内部に有する。斜面１５と斜面１６とは平行である。斜面１５にはビームスプリッタ１７が形成され、斜面１６には非点収差生成素子１８が形成される。
【００３８】
ビームスプリッタ１７は光源１１からの出射光２５を透過し、反射光２６、２７を反射して非点収差生成素子１８に入射させる。ビームスプリッタ１７は例えば偏光分離膜を備える。
【００３９】
非点収差生成素子１８は、フレネルミラー２８で構成される。図５（ａ）は通常のミラーの断面図、図５（ｂ）はフレネルミラーの断面図である。フレネルミラー３２は、通常のミラー３１を所定の段差深さｄ毎の輪切りにして高低差を縮めたミラーである。フレネルミラー３２は、複数の輪帯部３３と、隣接する輪帯部３３をつなぐ段差部３４と、を有し、輪帯部３３を反射鏡部とする。フレネルミラー３２は薄くすることができ、面上に形成される。輪帯部３３は傾斜が全体として比較的ゆるく実際に光が入射して反射する部分である。また、段差部３４は傾斜が急峻であり、下記に示す非点収差生成素子１８としての本来の機能にはほとんど寄与しない部分である。フレネルミラー３２は、回折型のミラーよりも多次回折光の発生を抑制することができるため、光ディスク２０からの反射光２６をフォーカス制御用の光として効率良く利用することができる。
【００４０】
なお、本実施の形態１において、非点収差生成素子１８をフレネルミラー２８とするが、回折型のミラーとしても構わない。また、輪帯部３３は滑らかな面形状が望ましいが、ステップ状の面形状でも構わない。
【００４１】
図６（ａ）は非点収差生成素子の動作図、図６（ｂ）は光ディスクが近い場合の光スポット形状を示す図、図６（ｃ）は光ディスクが遠い場合の光スポット形状を示す図である。非点収差生成素子４０は、光軸４１を含んで直交する２つの断面４２、４３で焦点距離を異ならせる。非点収差生成素子４０には、いわゆる円柱レンズ、円筒レンズやその組み合わせ、及び円筒反射ミラー、円柱反射ミラーやその組み合わせ等がある。図６（ａ）において、非点収差生成素子４０は、簡単のため円筒レンズとした。
【００４２】
本発明において、光ディスクからの反射光は受光器４７の近傍に集束するように非点収差生成素子４０に入射する。上下方向の断面４２方向の入射光は非点収差生成素子４０をそのまま透過し、受光器４７の前側の焦点４４に集束してから受光器４７に入射する。一方、左右方向の断面４３方向の入射光は非点収差生成素子４０が凹レンズの働きをするため、受光器４７の後側の焦点４５に集束するように受光器４７に入射する。すなわち、断面４２の方向の入射光は、焦点４４で一旦集束してから少し広がった状態で受光器４７に入射する。断面４３の方向の入射光は焦点４５で集束するように少し広がった状態で受光器４７に入射する。そのため、受光器４７上のスポット４６は、少し広がった状態のほぼ円形状となる。
【００４３】
受光器４７は、非点収差生成素子４０を通過した光を受光するＡ〜Ｄの受光部４８を有する。受光部４８は、田の字の形に、断面４２、４３に対して４５°回転して配置される。ＡとＣの受光部４８を左右方向に配置し、ＢとＤの受光部４８を上下方向に配置した。Ａ〜Ｄの受光部４８は受光した光量を電気信号に変換する。Ａの受光部４８で変換された電気信号をＡ、Ｂの受光部４８で変換された電気信号をＢ、Ｃの受光部４８で変換された電気信号をＣ、Ｄの受光部４８で変換された電気信号をＤとする。フォーカス制御用の信号であるフォーカスエラー信号ＦＥＳは、ＦＥＳ＝（Ａ＋Ｃ）−（Ｂ＋Ｄ）を演算させることにより得ることができる。
【００４４】
図６（ｂ）に示すように、光ディスクが光ピックアップ装置に近い場合、焦点４４、４５は光ディスクから離れるため、焦点４４は受光器４７に近づき、焦点４５は受光器４７から遠ざかる。そのため、スポット４６の上下の寸法が短くなって左右の寸法が長くなる。したがって、フォーカスエラー信号ＦＥＳ＞０となる。逆に図６（ｃ）に示すように、光ディスクが光ピックアップ装置から遠い場合、焦点４４、４５は光ディスクに近づくため、焦点４４は受光器４７から遠ざかり、焦点４５は受光器４７に近づく。そのため、スポット４６の上下の寸法が長くなり、左右の寸法が短くなる。したがって、フォーカスエラー信号ＦＥＳ＜０となる。このようにフォーカスエラー信号ＦＥＳは光ディスクのフォーカス方向の位置ずれを示すフォーカス制御用の信号である。フォーカス制御は、フォーカスエラー信号ＦＥＳ＝０、あるいは所定の値となるように行われる。
【００４５】
本実施の形態１において、非点収差生成素子１８であるフレネルミラー２８の輪帯部２９は図２に示すように同心楕円状である。この同心楕円状の長軸方向が図６の断面４２の方向か断面４３の方向のいずれか一方に、短軸方向が他方に相当する。この同心楕円状の最も内側の輪帯部２９にＬ０層２１からの反射光２６が入射するようにした。Ｌ１層２２からの反射光２７のスポット５２の中心位置はスポット５０の中心位置とほぼ一致するため、Ｌ１層２２からの反射光２７のスポット５２は最も内側の輪帯部２９に位置する。最も内側の輪帯部２９は、トラッキング方向に相当する方向の長さが長く、対物レンズ１９の位置が大きく変化してもＬ１層２２からの反射光２７は最も内側の輪帯部２９からはみ出しにくい。そのため、トラッキング方向への対物レンズ１９の動作時においてもＬ１層２２からの反射光は非点収差生成素子１８の輪帯部２９のみに入射するので、反射光消失状態は発生せず、この効果として不良率を低くすることができる。さらに、ＤＶＤ用の光のスポット５０が最も内側の輪帯部２９のほぼ中心に位置するようにした。その分、ＣＤ用の光のスポット５１は最も内側の輪帯部２９の中心からずれる。
【００４６】
対物レンズ１９は、ＤＶＤ用の出射光２５をＤＶＤのＬ０層２１に集束させるレンズである。また、対物レンズ１９は、ＤＶＤ用の出射光２５をＤＶＤのＬ１層２２にも集束させることができる。さらに対物レンズ１９は、ＣＤ用の第２の出射光をＣＤの記録層に集束させることもできる。
【００４７】
図３（ａ）において、受光器２３は、出射光２５がＤＶＤの所定の記録層であるＬ０層２１やＬ１層２２で反射し対物レンズ１９を通過した反射光２６、２７を受光する。また、第２の出射光がＣＤの記録層で反射し対物レンズ１９を通過した反射光も受光する。受光器２３は、受光部２４で検出した光量を電気信号に変換して出力する。出力された信号は、フォーカス制御やトラッキング制御、光ディスクに記録された情報の再生等に用いられる。
【００４８】
受光器２３はＡ〜Ｌ、ａ〜ｈの受光部２４を有する。Ａ〜Ｌの受光部２４にはＤＶＤ用の波長λ１の光が入射する。ａ〜ｈの受光部２４にはＣＤ用の波長λ２の光が入射する。Ａ〜Ｄの受光部２４には第１回折格子１３ａで生成された０次光が入射し、Ｅ〜Ｇ、Ｉ〜Ｌの受光部２４には±１次光のいずれかが入射する。また、ａ〜ｄの受光部２４には第２回折格子１３ｂで生成された０次光が入射し、ｅ・ｇ、ｆ・ｈの受光部１８ａには±１次光のいずれかが入射する。図６のＡ〜Ｄの受光部４８に図３のＡ〜Ｄの受光部２４とａ〜ｄの受光部２４とが対応する。
【００４９】
本実施の形態１において、非点収差生成素子１８は、非点収差生成素子４０に対し、光軸４１と直交する方向に４５度回転させた状態とした。それに伴い、受光器２３の受光部２４は、受光器４７の受光部４８の面内で４５度回転させた状態とした。したがって、受光器２３内でＡからＤの受光部２４の境界は水平垂直となり、その他の受光部２４を含めた受光部２４の配置の設計が容易となる。
【００５０】
受光器２３において、Ａ、Ｂ、Ｃ、Ｄ、Ｅ、Ｆ、Ｇ、Ｈ、Ｉ、Ｊ、Ｋ、Ｌの受光部２４に入射し変換されたＤＶＤ用の電気信号をＡ、Ｂ、Ｃ、Ｄ、Ｅ、Ｆ、Ｇ、Ｈ、Ｉ、Ｊ、Ｋ、Ｌとする。ａ、ｂ、ｃ、ｄ、ｅ、ｆ、ｇ、ｈの受光部２４に入射し変換されたＣＤ用の電気信号をａ、ｂ、ｃ、ｄ、ｅ、ｆ、ｇ、ｈとする。
【００５１】
ＤＶＤ用のフォーカスエラー信号ＦＥＳは、ＤＶＤ−ＲＯＭ、ＤＶＤ±Ｒ／ＲＷ：ＦＥＳ＝（Ａ＋Ｃ）−（Ｂ＋Ｄ）、ＤＶＤ−ＲＡＭ：ＦＥＳ＝｛（Ａ＋Ｃ）−（Ｂ＋Ｄ）｝＋Ｋｔ×｛（Ｅ＋Ｉ＋Ｇ＋Ｋ）−（Ｈ＋Ｌ＋Ｆ＋Ｊ）｝である。ここでＫｔは動作設定に応じて定まる定数である。フォーカスエラー信号ＦＥＳはスポットのフォーカスずれを示す信号である。
【００５２】
ＣＤ用のフォーカスエラー信号ＦＥＳは、ＣＤ−Ｒ／ＲＷ／ＲＯＭ：ＦＥＳ＝（ａ＋ｃ）−（ｂ＋ｄ）である。
【００５３】
ＤＶＤ用のトラッキングエラー信号ＴＥＳは、ＤＶＤ−ＲＯＭ：ＴＥＳ＝ｐｈ（Ａ，Ｄ）−ｐｈ（Ｂ，Ｃ）、ＤＶＤ±Ｒ／ＲＷ、−ＲＡＭ：ＴＥＳ＝｛（Ａ＋Ｂ）−（Ｃ＋Ｄ）｝−Ｋｔ×｛（Ｅ＋Ｉ＋Ｆ＋Ｊ）−（Ｇ＋Ｋ＋Ｈ＋Ｌ）｝である。ここで、ｐｈ（Ｘ，Ｙ）は検出したＸ，Ｙの位相差を変換した電圧である。トラッキングエラー信号ＴＥＳはスポットのトラック位置ずれを示す信号である。
【００５４】
ＣＤ用のトラッキングエラー信号ＴＥＳは、ＣＤ−Ｒ／ＲＷ／ＲＯＭ：ＴＥＳ＝｛（ａ＋ｂ）−（ｃ＋ｄ）｝−Ｋｔ×｛（ｅ＋ｆ）−（ｇ＋ｈ）｝、ＣＤ−ＲＯＭ：ＴＥＳ＝ｐｈ（ａ，ｄ）−ｐｈ（ｂ，ｃ）である。通常はより安定してトラッキング制御することができる前者の方法が用いられる。しかし例えば、ＣＤ−ＲＯＭのピットの高さが規格に入っていないような粗悪ディスクを再生するような場合、前者の方法ではトラッキングエラー信号ＴＥＳがうまく出力されない場合がある。そのような場合でも後者の方法ではトラッキングエラー信号ＴＥＳがうまく出力できるため、予備のトラッキング制御法として用いることができる。このようにトラッキング制御しきれない規格から外れているような粗悪ディスクを再生するような場合でもトラッキング制御することができるので、光ディスク装置としてより幅広い光ディスク２０に対応することができる。
【００５５】
なお、図３において、Ｅ〜Ｈ、Ａ〜Ｄ、Ｉ〜Ｌの受光部２４、ｅ・ｇ、ａ〜ｄ、ｆ・ｈの受光部２４の配列が紙面上下方向からわずかにずれている。これは０次光が光ディスクの記録層のトラック上に集束された場合に±１次光がトラックからずらされて集束されるためである。したがって、０次光と±１次光とが同じトラック上に集束される場合、Ｅ〜Ｈ、Ａ〜Ｄ、Ｉ〜Ｌの受光部２４、ｅ・ｇ、ａ〜ｄ、ｆ・ｈの受光部２４は紙面上下方向に配列される。
【００５６】
複数の記録層を有する光ディスク２０は、ＤＶＤである。光ディスク２０の手前側の記録層をＬ０層２１、奥側の記録層をＬ１層２２という。ＤＶＤには単層の記録層を有するものもある。また、ＣＤは単層の記録層を有する。本実施の形態１において、光ディスク２０の記録層は、Ｌ０層２１、Ｌ１層２２とするが、さらに多数の記録層を有する光ディスク２０としても構わない。
【００５７】
図１において、光源１１が発生した波長λ１の出射光２５は回折格子１３で回折される。出射光２５はビームスプリッタ１７を透過し、対物レンズ１９に入射する。対物レンズ１９は出射光２５をＬ０層２１で集束させる。出射光２５はＬ０層２１で反射し、その反射光２６は対物レンズ１９を通過し、ビームスプリッタ１７で反射して非点収差生成素子１８に入射する。その際、反射光２６は受光器２３に向けて集束してくる。非点収差生成素子１８は、反射光２６の光軸を含んで互いに直交する２つの断面における焦点位置をそれぞれ受光器２３の前側と後側となるように変換して受光器２３に入射させる。
【００５８】
この際、出射光２５の一部はＬ０層２１を透過し、Ｌ１層２２で反射する。この反射光２７はＬ１層２２のさらに奥の１点から出射されたように振舞う。したがって、反射光２６は受光器２３の近傍で集束するが、反射光２７はそれよりも光ディスク２０に近い位置に集束する。したがって、図２に示すように、スポット５２はスポット５０とほぼ同じ位置であるが、スポット５２はスポット５０よりも小さい。逆に反射光２６は受光器２３でほぼ集束するが、図３に示すように反射光２７によるスポット５５は受光器２３では大きく広がる。
【００５９】
図２（ｃ）に示すように、スポット５０とスポット５１との間に従来の非点収差生成素子２３１の輪帯部２３２の中心がくるように配置していた。その結果、図２（ｄ）に示すように対物レンズ２０９をトラッキング方向に動作させると、スポット５２はスポット５３やスポット５４のように移動する。そして、スポット５３のように段差部２３３を横切ると、段差部２３３にかかる部分は正しく反射されないため、スポット５５は図３（ｂ）に示すように、帯状の反射光消失状態が生じる。この反射光消失状態の位置は対物レンズ２０９のトラッキング方向の移動に伴い変化し、反射光消失状態の部分が受光部２１３にかかると受光量にアンバランスを生じ、特性の低下につながる。特に、±１次光が入射するＥ、Ｆ、Ｈ、Ｇ、Ｉ、Ｊ、Ｋ、Ｌの受光部２１３は、Ａ、Ｂ、Ｃ、Ｄの受光部２１３よりも増幅率が高いので、反射光消失状態の部分がこれらの受光部２１３にかかるとより大きな影響が出て、トラッキング制御の特性が低下する。これが製造工程における不良発生の原因となっている。
【００６０】
本実施の形態１において、図２（ｂ）のスポット５２のように、Ｌ１層２２からの反射光２７は、対物レンズ１９がトラッキング方向に動作しても輪帯部２９にのみ入射する。したがって、図３（ａ）のスポット５５のように、Ｌ１層２２からの反射光２７は、受光器２３で反射光消失状態を発生させない。そのため、受光部２４に入射するスポット５５の光量分布による各受光部２４の受光量のアンバランスが生じにくい。したがって、対物レンズ１９がトラッキング方向に動作しても安定したトラッキング制御を行うことができ、製造工程における不良発生を抑えることができる。
【００６１】
図１は本実施の形態１に関係する光ピックアップ装置の光学系を示しているが、光ピックアップ装置はさらに多くの光学部品を有している。図７は本実施の形態１の光ピックアップ装置における光学系の構成図である。また、図８は本実施の形態１の光ピックアップ装置の構成図である。
【００６２】
図７において波長板６０、コリメートレンズ６１、立上げミラー６２、受光器６３が図１の構成よりも増えている。また、ＣＤの記録層６４も表示している。
【００６３】
波長板６０は、Ｐ偏光であるＤＶＤ用の出射光２５を円偏光に変換し、円偏光である反射光２６をＳ偏光に変換する。その際、反射光２７もＳ偏光に変換されてしまう。また、波長板６０は、ＣＤ用の第２の出射光をＰ偏光から円偏光に変換し、円偏光である反射光をＳ偏光に変換する。ビームスプリッタ１７は、前述のように偏光分離膜である。偏光分離膜は、例えばＰ偏光を透過しＳ偏光を反射する特性を有する。このようにして、波長板６０は、ビームスプリッタ１７にＤＶＤ用の出射光２５、ＣＤ用の第２の出射光からＤＶＤ用の反射光２６、ＣＤ用の反射光を分離させる。
【００６４】
コリメートレンズ６１は出射光２５を拡散光からほぼ平行光に変換し、ほぼ平行光である反射光２６を受光器２３の近傍で集束する集束光に変換する。図１に示すように、コリメートレンズ６１を配置しないで、拡散光である出射光２５が対物レンズ１９に入射し、対物レンズ１９が反射光２６を受光器２３の近傍で集束する集束光に変換しても構わない。
【００６５】
立上げミラー６２は、それまで光ディスク２０にほぼ平行であった出射光２５及び第２の出射光の方向を光ディスク２０にほぼ直角に立上げて対物レンズ１９に入射させるための反射ミラーである。立上げプリズムを用いても構わない。本実施の形態１において、立上げミラー６２は出射光２５の一部及び第２の出射光の一部を透過させる。
【００６６】
受光器６３は、立上げミラー６２を透過した光を検出する。検出された光は受光器６３にて電気信号に変換されて出力され、出射光２５や第２の出射光の出力制御に用いられる。
【００６７】
図８において、光ピックアップ装置７０は、基台７１に上記光学系の各部品を直接または他の部品を介して取付けられて構成される。基台７１は、光ピックアップ装置７０の骨組みである。基台７１は、Ｚｎ合金、Ｍｇ合金等の合金材料あるいは硬質樹脂材料で形成されるが、剛性を確保しやすい合金材料が望ましい。基台７１には各種部品を配置するための取付部が所定の箇所に設けられている。
【００６８】
光源１１、回折素子１２、集積プリズム１４、受光器２３は、結合ベース７２に固定されてレーザモジュール７３を構成し、結合ベース７２が基台７１に固定される。結合ベース７２は熱伝導率が高く、剛性が大きい、例えば合金材料で形成される。対物レンズ１９は、対物レンズ１９を駆動する対物レンズ駆動部７４に搭載されて対物レンズ駆動部７４が基台７１に固定される。対物レンズ１９は対物レンズ駆動部７４によってフォーカス方向及びトラッキング方向に動作する。波長板６０、コリメートレンズ６１、立上げミラー６２、受光器６３は、直接または他の取付部材を介して基台７１に固定される。
【００６９】
図９（ａ）は本実施の形態１における他の例１の非点収差生成素子に入射するＬ０層からの反射光のスポットを示す図、図９（ｂ）は本実施の形態１における他の例１の非点収差生成素子に入射するＬ１層からの反射光のスポットを示す図、図９（ｃ）は本実施の形態１における他の例２の非点収差生成素子に入射するＬ０層からの反射光のスポットを示す図、図９（ｄ）は本実施の形態１における他の例２の非点収差生成素子に入射するＬ１層からの反射光のスポットを示す図である。
【００７０】
本実施の形態１において、非点収差生成素子１８としてのフレネルミラー２８の輪帯部２９が描く形状は同心楕円形状としたが、それに限るものではない。図９（ａ）、図９（ｂ）において、非点収差生成素子８３としてのフレネルミラー８０は複数の直線状の段差部８２で区切られた輪帯部８１で構成されている。この直線状の段差部８２の方向とこれと直交する方向のいずれか一方が図６における断面４２の方向に、他方が断面４３の方向に相当する。直線状の段差部８２の方向が平面の反射ミラーの方向となるため、設計の自由度は小さい。しかし、最も内側の輪帯部８１は最も広く確保できる。そのため、対物レンズ１９がトラッキング方向に動作した場合にスポット５３やスポット５４が段差部８３にはかかりにくい。そのため、トラッキング制御が安定する。
【００７１】
図９（ｃ）、図９（ｄ）において、非点収差生成素子８７としてのフレネルミラー８４は最も内側の輪帯部８５が略十字状となるような形状である。一方の対角方向の輪帯部８５の並びは凸面鏡であり、他方の対角方向の輪帯部８５の並びは凹面鏡である。それぞれの対角方向の段差部８６に直交する方向の一方が、断面４２の方向であり、他方が断面４３の方向である。最も内側の輪帯部８５の面積は小さいが、反射光２６が受光部２３の近傍に集束する位置が、非点収差生成素子８７を配置しない場合と近いので設計がしやすい。
【００７２】
なお、出射光２５をＬ１層２２に集束させた場合、Ｌ０層２１で一部が反射され、その反射光が非点収差生成素子１８としてのフレネルミラー２８に入射し、さらに受光器２３に入射する。その際、Ｌ１層２２からの反射光の非点収差生成素子１８上の大きさはスポット５０とほぼ等しい。一方、Ｌ０層２１からの反射光のスポットはスポット５０よりも大きく、仮にこのスポットが段差部３０にかかっても段差部３０の影響を受けにくい。また、受光器２３上のＬ０層２１からの反射光のスポットはスポット５５よりもさらに大きくぼやける。したがって、受光器２３上のＬ０層２１からの反射光のスポットは、トラッキング制御に影響を及ぼすような光量分布にはなりにくい。そのため、出射光２５をＬ１層２２に集束させた場合、対物レンズ１９をトラッキング方向に動作させて特性を評価する工程における不良率は高くなりにくい。
【００７３】
（実施の形態２）
本実施の形態２について、図面を参照しながら説明する。図１０（ａ）は通常のミラーの断面図、図１０（ｂ）は実施の形態１におけるフレネルミラーの断面図、図１０（ｃ）は本実施の形態２におけるフレネルミラーの断面図である。また、図１１（ａ）は本実施の形態２における非点収差生成素子に入射するＬ０層からの反射光のスポットを示す図、図１１（ｂ）は本実施の形態２における非点収差生成素子に入射するＬ１層からの反射光のスポットを示す図である。図１０（ａ）と図１０（ｂ）は図５（ａ）と図５（ｂ）と同じであり、その説明を援用する。また、本実施の形態２の光ピックアップ装置の非点収差生成素子９３としてのフレネルミラー９０以外の部品は実施の形態１の部品と同じであり、その説明を援用する。
【００７４】
図１０に示すように、本実施の形態２の非点収差生成素子９３としてのフレネルミラー９０は輪帯部９１のうち最も内側の輪帯部９１の高低差ｄ１を段差部９２の高低差ｄよりも大きくした。最も内側の輪帯部９１の高低差ｄ１を大きくすることで、最も内側の輪帯部９１の中心部から最も内側の段差部９２までの距離Ｗ２を、最も内側の輪帯部３３の高低差を段差部３４の高低差ｄと等しくした場合の距離Ｗ１よりも大きくすることができる。したがって、図１１に示すように、対物レンズ１９の位置が大きく変化してＬ１層２２からの反射光２７のスポット５２がスポット５３、５４のように位置が大きく変化しても最も内側の輪帯部９１からはみ出しにくい。そのため、トラッキング方向への対物レンズ１９の動作時においてもＬ１層２２からの反射光２７は非点収差生成素子９３の輪帯部９１のみに入射するので、反射光消失状態は発生せず、この効果として不良率を低くすることができる。
【００７５】
逆に、本実施の形態２に示す非点収差生成素子９３は、実施の形態１に示す非点収差生成素子１８よりもトラッキング方向への対物レンズ１９の動作時においてもＬ１層２２からの反射光２７のスポット５２は輪帯部９１からはみ出しにくい。そのため、ＤＶＤからの反射光２６のスポット５０を非点収差生成素子９３の中心からずらし、ＣＤからの反射光のスポット５１を非点収差生成素子９３の中心近傍に近づけることができる。そのため、ＣＤの特性をより良好にすることができる。
【００７６】
なお、段差部９２の高低差ｄを最も内側の輪帯部９１の高低差ｄ１と等しくしないのは以下の理由による。すなわち、段差部９２の高低差ｄはＤＶＤとＣＤそれぞれの位相を決定し、その結果として受光部２３に向かうＤＶＤとＣＤの相対的な光量を決定づける。そのため最適な段差部９２の最適な高低差ｄが存在するためである。
【００７７】
（実施の形態３）
本実施の形態３について、図面を参照しながら説明する。図１２は本実施の形態３の光ピックアップ装置における集積プリズムの構成図である。実施の形態１、２において、非点収差生成素子１８、９３はフレネルミラー２８、９０であった。本実施の形態３において、非点収差生成素子１０５はフレネルミラー１０６である。非点収差生成素子１０５を有する集積プリズム１０１以外の部品は実施の形態１と同じであり、その説明を援用する。
【００７８】
すなわち、光源１１は光ディスク２０の所定の記録層であるＬ０層２１に向けた出射光２５を発生する。対物レンズ１９は出射光２５をＬ０層２１で集束させる。受光器２３は出射光２５がＬ０層２１で反射し対物レンズ１９を通過した反射光２６を受光する。非点収差生成素子１０５は対物レンズ１９と受光器２３との間に配置され、受光器２３に向けて集束してくる反射光２６の光軸を含んで互いに直交する２つの断面における焦点位置をそれぞれ受光器２３の前側と後側としたフォーカス制御用の光を生成する。ここで、非点収差生成素子１０５は、センサ面１０４上に形成され、複数の輪帯部１０７と、隣接する輪帯部１０７をつなぐ段差部１０８と、を有する。ここで、非点収差生成素子１０５はフレネルレンズ１０６であり、輪帯部１０７は、レンズ部とした。そして、本発明の光ピックアップ装置は対物レンズ１９のトラッキング方向の動作にかかわらずＬ０層２１よりも奥側の記録層であるＬ１層２２からの反射光２７がフレネルレンズ１０６において輪帯部１０７にのみ入射する構成とした。
【００７９】
本発明において、Ｌ１層２２からの反射光２７は、フレネルレンズ１０６の輪帯部１０７にのみ入射する構成としたため、段差部１０８による影響を受ける度合いは小さい。そのため、複数の記録層を有する光ディスク２０を用いて対物レンズ１９をトラッキング方向に動作させて特性を評価する工程における不良率を低くすることができる。すなわち、本発明によれば、トラッキング方向への対物レンズ１９の動作時においてもＬ１層からの反射光２７はフレネルレンズ１０６の輪帯部１０７のみに入射するので、反射光消失状態は発生せず、この効果として不良率を低くすることができる。
【００８０】
次に本実施の形態３についてさらに詳細に説明する。集積プリズム１０１は、ＢＫ７等の光学ガラスで形成される。集積プリズム１０１は内部に斜面１０２を有し、斜面１０２にはビームスプリッタ１０３が形成される。ビームスプリッタ１０３は、ビームスプリッタ１７と同様、光源１１からの出射光２５を透過し、光ディスク２０からの反射光２６、２７を反射する。ビームスプリッタ１０３は、例えば偏光分離膜を備える。
【００８１】
集積プリズム１０１の受光器２３と対向するセンサ面１０４に非点収差生成素子１０５としてのフレネルレンズ１０６が形成される。非点収差生成素子１０５は非点収差生成素子１８、９３と同様に、センサ面１０４上に形成され、複数の輪帯部１０７と、隣接する輪帯部１０７をつなぐ段差部１０８と、を有し、輪帯部１０７をレンズ部とする。実施の形態１、２と同様に対物レンズ１９のトラッキング方向の動作にかかわらずＬ０層２１よりも奥側のＬ１層２２からの反射光２７が非点収差生成素子１０５において輪帯部１０７にのみ入射する構成とした。輪帯部１０７は傾斜が全体として比較的ゆるく実際に光が入射して透過する部分である。また、段差部１０８は傾斜が急峻であり、非点収差生成素子１０５としての本来の機能にはほとんど寄与しない部分である。フレネルレンズ１０６は、回折型のレンズよりも多次回折光の発生を抑制することができるため、光ディスク２０からの反射光２６をフォーカス制御用の光として効率良く利用することができる。
【００８２】
なお、本実施の形態３において、非点収差生成素子１０５をフレネルレンズ１０６とするが、回折型のレンズとしても構わない。また、輪帯部１０７は滑らかな面形状が望ましいが、ステップ状の面形状でも構わない。
【００８３】
したがって、非点収差生成素子１８、９３の場合と同様に、Ｌ１層２２からの反射光２７は、非点収差生成素子１０５の輪帯部１０７にのみ入射する構成としたため、段差部１０８による影響を受ける度合いは小さい。そのため、複数の記録層を有する光ディスク２０を用いて対物レンズ１９をトラッキング方向に動作させて特性を評価する工程における不良率を低くすることができる。すなわち、本発明によれば、トラッキング方向への対物レンズ１９の動作時においてもＬ１層からの反射光２７は非点収差生成素子１０５の輪帯部１０７のみに入射するので、反射光消失状態は発生せず、この効果として不良率を低くすることができる。
【００８４】
図１３は本実施の形態３の光ピックアップ装置における他の例の集積プリズムの構成図である。本実施の形態３において集積プリズム１０１は集積プリズム１１１のような構成でも構わない。
【００８５】
集積プリズム１１１は、内部に斜面１１２を有し、斜面１１２にビームスプリッタ１１３を設ける。ビームスプリッタ１１３は、ビームスプリッタ１０３と同じである。
【００８６】
集積プリズム１１１の受光器２３と対向するセンサ面１１４に非点収差生成素子１１６としてのフレネルレンズ１１７を予め形成した基板１１５を貼り付ける。非点収差生成素子１１６は非点収差生成素子１０５と同様に、基板１１５の面上に形成され、複数の輪帯部１１８と、隣接する輪帯部１１８をつなぐ段差部１１９と、を有し、輪帯部１１８をレンズ部とする。非点収差生成素子１０５と同様に対物レンズ１９のトラッキング方向の動作にかかわらずＬ０層２１よりも奥側のＬ１層２２からの反射光２７が非点収差生成素子１１６において輪帯部１１８にのみ入射する構成とした。したがって、非点収差生成素子１１６は非点収差生成素子１０５と同じ効果が得られる。
【００８７】
（実施の形態４）
本実施の形態４について、図面を参照しながら説明する。図１４は本実施の形態４の光ピックアップ装置における光学系の構成図である。実施の形態１〜３の光ピックアップ装置はＤＶＤとＣＤに対する記録や再生を行うが、本実施の形態４の光ピックアップ装置はＤＶＤとＣＤに対する記録や再生に加えてＢＤ（ブルーレイディスク）に対する記録や再生も行う。
【００８８】
光源１２１、回折素子１２２、回折格子１２３、集積プリズム１２４、非点収差生成素子１２５、受光器１２６は、それぞれ光源１１、回折素子１２、回折格子１３、集積プリズム１４、非点収差生成素子１８、受光器２３と同じである。また、結合ベース１２７は、結合ベース７２と同じであり、それらを組立てたレーザモジュール１２８はレーザモジュール７３と同じである。非点収差生成素子１２５は、フレネルミラー１３０により構成される。非点収差生成素子１２５は、非点収差生成素子１８と同じで、斜面上に形成され、複数の輪帯部と、隣接する輪帯部をつなぐ段差部と、を有し、輪帯部を反射鏡部とする。
【００８９】
一方、光源１３１は波長λ３が約４０５ｎｍの出射光を発生する。この出射光はＢＤの記録や再生に用いられる。集積プリズム１３２の内部には斜面が形成され、ビームスプリッタが設けられている。受光器１３４は光源１３１から出射されＢＤ１５１の記録層で反射された反射光を検出し、電気信号に変換して出力する。この出力された電気信号はフォーカス制御、トラッキング制御、ＢＤに記録された情報の再生等に用いられる。集積プリズム１３２と受光器１３４との間に非点収差生成素子１３３が配置される。非点収差生成素子１３３は、いわゆる円柱レンズ、円筒レンズやその組み合わせである。非点収差生成素子１３３によりＢＤのフォーカス制御に用いられる光が生成される。光源１３１、集積プリズム１３２、非点収差生成素子１３３、受光器１３４は、レーザモジュール１３６として結合ベース１３５に一体に取付けられる。
【００９０】
ホログラム１４０は回折によりＢＤのトラッキング制御に用いられる光を生成する。
【００９１】
ビームスプリッタ１４１はＤＶＤ用の光とＣＤ用の光を透過し、ＢＤ用の光を反射して、ＤＶＤ用の光、ＣＤ用の光とＢＤ用の光とを分離する。ビームスプリッタ１４１は波長分離膜を備える。
【００９２】
コリメートレンズ１４２は、発散光である光源１２１、１３１から出射された光をほぼ平行光に変換する。また、逆にほぼ平行光であるＤＶＤ１５０、ＣＤ１４９、ＢＤ１５１で反射された反射光を集束光に変換する。
【００９３】
立上げミラー１４３はＤＶＤ１５０やＣＤ１４９に対してほぼ平行であったＤＶＤ用の出射光、ＣＤ用の出射光がＤＶＤ１５０やＣＤ１４９に対してほぼ直角となるように反射する。また、立上げミラー１４３はＤＶＤ用の出射光とＣＤ用の出射光の一部とＢＤ用の出射光を透過する。
【００９４】
立上げミラー１４４はＢＤ１５１に対してほぼ平行であったＢＤ用の出射光の出射光がＢＤ１５１に対してほぼ直角となるように反射する。また、立上げミラー１４４はＢＤ用の出射光の一部とＤＶＤ用の出射光とＣＤ用の出射光を透過する。
【００９５】
対物レンズ１４６は、立上げミラー１４４で立上げられたＢＤ用の光をＢＤ１５１の記録層で集束させる。また、対物レンズ１４７は立上げられたＤＶＤ用の光をＤＶＤ１５０の記録層に集束させ、立上げられたＣＤ用の光をＣＤ１４９の記録層に集束させる。対物レンズ１４６と対物レンズ１４７とは一つの対物レンズ駆動部１４８に組み込まれる。
【００９６】
受光器１４５は立上げミラー１４５を透過したＣＤ用の光、ＤＶＤ用の光、ＢＤ用の光を検出し、電気信号に変換して出力する。出力された信号は、それぞれＣＤ用の光の光量制御、ＤＶＤ用の光の光量制御、ＢＤ用の光の光量制御に用いられる。
【００９７】
ＣＤ１４９の記録層は単層である。ＤＶＤ１５０の記録層は単層のものと複数層のものとがある。また、ＢＤ１５１の記録層も単層のものと複数層のものとがある。
【００９８】
本実施の形態４の光ピックアップ装置は、ＤＶＤに関して実施の形態１〜３と同じであり、対物レンズ１４７のトラッキング方向の動作にかかわらずＤＶＤ１５０のＬ０層よりも奥側の記録層であるＬ１層からの反射光が非点収差生成素子１２５としてのフレネルミラー１３０において輪帯部にのみ入射する構成とした。
【００９９】
ＤＶＤ１５０のＬ１層からの反射光は、非点収差生成素子１２５の輪帯部にのみ入射する構成としたため、段差部による影響を受ける度合いは小さい。そのため、ＤＶＤ１５０を用いて対物レンズ１４７をトラッキング方向に動作させて特性を評価する工程における不良率を低くすることができる。すなわち、トラッキング方向への対物レンズ１４７の動作時においてもＬ１層からの反射光は非点収差生成素子１２５の輪帯部のみに入射するので、反射光消失状態は発生せず、この効果として不良率を低くすることができる。
【０１００】
また、ＢＤ１５１に関して、本実施の形態４において、非点収差生成素子１３３としてフレネルミラーやフレネルレンズを用いていないので、反射光消失状態は発生せず、不良率が高くなることはない。
【０１０１】
なお、本実施の形態４において、非点収差生成素子１２５はフレネルミラー１３０としたが、フレネルレンズを用いた構成としても構わない。また、回折型のミラーやレンズとしても構わない。また、輪帯部は滑らかな面形状が望ましいが、ステップ状の面形状でも構わない。
【０１０２】
（実施の形態５）
本実施の形態５について、図面を参照しながら説明する。図１５は本実施の形態５の光ピックアップ装置における光学系の構成図である。本実施の形態５の構成は、非点収差生成素子１３３が非点収差生成素子１５３として集積プリズム１５２の内部に形成された以外、実施の形態４の構成と全く同じであり、集積プリズム１５２と非点収差生成素子１５３以外の説明は実施の形態４の説明を援用する。
【０１０３】
集積プリズム１５２は、集積プリズム１２４と同様の構成であり、内部に斜面を有し、非点収差生成素子１５３が斜面上に配置される。非点収差生成素子１５３はフレネルミラー１５４で構成される。非点収差生成素子１５３は、複数の輪帯部と、隣接する輪帯部をつなぐ段差部と、を有し、輪帯部を反射鏡部とする。対物レンズ１４６のトラッキング方向の動作にかかわらずＢＤ１５１のＬ０層よりも奥側のＬ１層からの反射光がフレネルミラー１５４において輪帯部にのみ入射する構成となるようにした。
【０１０４】
ＢＤ１５１のＬ１層からの反射光は、非点収差生成素子１５３の輪帯部にのみ入射する構成としたため、段差部による影響を受ける度合いは小さい。そのため、複数の記録層を有するＢＤ１５１を用いて対物レンズ１４６をトラッキング方向に動作させて特性を評価する工程における不良率を実施の形態４の光ピックアップ装置と同程度に低くすることができる。すなわち、トラッキング方向への対物レンズ１４６の動作時においてもＬ１層からの反射光は非点収差生成素子１５３の輪帯部のみに入射するので、反射光消失状態は発生せず、この効果として不良率を低くすることができる。さらに、本実施の形態５において、非点収差生成素子１３３をなくすことができるため、より安価な光ピックアップ装置とすることができる。
【０１０５】
なお、本実施の形態５において、非点収差生成素子１５３はフレネルミラー１５４としたが、フレネルレンズを用いた構成としても構わない。また、回折型のミラーやレンズとしても構わない。また、輪帯部は滑らかな面形状が望ましいが、ステップ状の面形状でも構わない。
【０１０６】
（実施の形態６）
本実施の形態６について、図面を参照しながら説明する。図１６は本実施の形態６の光ディスク装置における光ピックアップ装置駆動部の構成図、図１７は本実施の形態６の光ディスク装置の構成図、図１８は本実施の形態６の光ディスク装置におけるサーボの流れを示す図である。
【０１０７】
図１６において、光ディスク２０を回転駆動する回転駆動部及び光ピックアップ装置７０を回転駆動部に対して近づけたり離したりする移動部を備える光ディスク装置１７０の駆動機構を光ピックアップモジュール１６０という。ベース１６１は光ピックアップモジュール１６０の骨組みを成すもので、光ピックアップモジュール１６０はベース１６１に直接または間接に各構成部品が配置されて構成される。
【０１０８】
回転駆動部は光ディスク２０を載置するターンテーブル１６２ａを有するスピンドルモータ１６２を備えている。スピンドルモータ１６２はベース１６１に固定される。スピンドルモータ１６２は光ディスク２０を回転させる回転駆動力を生成する。
【０１０９】
移動部はフィードモータ１６３、スクリューシャフト１６４、メインシャフト１６５、サブシャフト１６６を備えている。フィードモータ１６３はベース１６１に固定される。フィードモータ１６３は光ピックアップ装置７０が光ディスク２０の内周と外周の間を移動するために必要な回転駆動力を生成する。フィードモータ１６３としてステッピングモータ、ＤＣモータなどが使用される。スクリューシャフト１６４はらせん状に溝が掘られており、直接または数段のギアを介してフィードモータ１６３に接続される。本実施の形態６では直接フィードモータ１６３と接続される。メインシャフト１６５、サブシャフト１６６はそれぞれ両端で保持部材を介してベース１６１に固定される。メインシャフト１６５、サブシャフト１６６は光ピックアップ装置７０を光ディスク２０の半径方向に移動自在に支持する。光ピックアップ装置７０はスクリューシャフト１６４の溝と噛み合うガイド歯を有するラック１６７を備える。ラック１６７がスクリューシャフト１６４に伝達されたフィードモータ１６３の回転駆動力を直線駆動力に変換するために光ピックアップ装置７０は光ディスク２０の内周と外周の間を移動することができる。
【０１１０】
なお、回転駆動部は光ディスク２０を所定の回転速度で回転させることができる構成であれば、本実施の形態６で説明した構成に限るものではない。また移動部は光ピックアップ装置７０を光ディスク２０の内周と外周の間の所定の位置に移動させることができる構成であれば、本実施の形態６で説明した構成に限るものではない。
【０１１１】
光ピックアップ装置７０は実施の形態１で説明したもので、図８の構成にカバー７５を取付けたものである。光ピックアップ装置７０は実施の形態２から５で説明した光ピックアップ装置と置き換えても構わない。光ピックアップ装置７０は、光源１１、対物レンズ１９、受光器２３、非点収差生成素子１８を備えている。光源１１は光ディスク２０の所定の記録層であるＬ０層２１に向けた出射光２５を発生する。対物レンズ１９は出射光２５をＬ０層２１で集束させる。受光器２３は出射光２５がＬ０層２１で反射し対物レンズ１９を通過した反射光２６を受光する。非点収差生成素子１８は対物レンズ１９と受光器２３との間に配置され、受光器２３に向けて集束してくる反射光２６の光軸を含んで互いに直交する２つの断面における焦点位置をそれぞれ受光器２３の前側と後側としたフォーカス制御用の光を生成する。ここで、非点収差生成素子１８は、斜面１６上に形成され、複数の輪帯部２９と、隣接する輪帯部２９をつなぐ段差部３０と、を有する。そして、光ピックアップ装置７０は対物レンズ１９のトラッキング方向の動作にかかわらずＬ０層２１よりも奥側の記録層であるＬ１層２１からの反射光２７が非点収差生成素子１８において輪帯部２９にのみ入射する構成とした。ここで非点収差生成素子１８は輪帯部２９を反射鏡部とするフレネルミラー２８としたが、フレネルレンズとしても構わない。また、回折型のミラーやレンズとしても構わない。また、輪帯部２９は滑らかな面形状が望ましいが、ステップ状の面形状でも構わない。
【０１１２】
光ピックアップ装置７０において、Ｌ１層２２からの反射光２７は、非点収差生成素子１８の輪帯部２９にのみ入射する構成としたため、段差部３０による影響を受ける度合いは小さい。そのため、光ディスク装置１７０を製造する場合、複数の記録層を有する光ディスク２０を用いて対物レンズ１９をトラッキング方向に動作させて特性を評価する工程における不良率を低くすることができる。すなわち、光ピックアップ装置７０では、トラッキング方向への対物レンズ１９の動作時においてもＬ１層２２からの反射光２７は非点収差生成素子１８の輪帯部２９のみに入射するので、反射光消失状態は発生せず、この効果として光ディスク装置１７０を製造する場合の不良率を低くすることができる。
【０１１３】
光ピックアップ装置７０の対物レンズ１９から出射されるレーザ光が光ディスク２０に対し直角に入射するように、保持部材を構成する調整機構でメインシャフト１６５、サブシャフト１６６の傾きを調整する。
【０１１４】
図１７において、光ディスク装置１７０の筐体１７１は上部筐体１７１ａと下部筐体１７１ｂとを組み合わせてネジなどを用いて互いに固定して構成されている。トレイ１７２は筐体１７１に出没自在に設けられている。トレイ１７２はカバー１６８を設けた光ピックアップモジュール１６０を下面側から配置する。カバー１６８は開口を有し、光ピックアップ装置７０の対物レンズ１９及びスピンドルモータ１６２のターンテーブル１６２ａを露出させる。さらに本実施の形態６の場合、フィードモータ１６３も露出させて、光ピックアップモジュール１６０の厚さが薄くなるようにしている。トレイ１７２は開口を有し、対物レンズ１９及びターンテーブル１６２ａ、カバー１６８の少なくとも一部を露出させる。ベゼル１７３はトレイ１７２の前端面に設けられて、トレイ１７２が筐体１７１内に収納された時にトレイ１７２の出没口を塞ぐように構成されている。ベゼル１７３にはイジェクトスイッチ１７４が設けられ、イジェクトスイッチ１７４を押すことで、筐体１７１とトレイ１７２との係合が解除され、トレイ１７２は筐体１７１に対し出没が可能な状態となる。レール１７５はそれぞれトレイ１７２の両側部及び筐体１７１の双方に摺動自在に取付けられる。筐体１７１内部やトレイ１７２内部には図示していない回路基板があり、信号処理系のＩＣや電源回路などが搭載されている。外部コネクタ１７６はコンピュータ等の電子機器に設けられた電源／信号ラインと接続される。そして、外部コネクタ１７６を介して光ディスク装置１７０内に電力を供給したり、あるいは外部からの電気信号を光ディスク装置１７０内に導いたり、あるいは光ディスク装置１７０で生成された電気信号を電子機器などに送出する。
【０１１５】
光ピックアップ装置７０のフォーカス制御とトラッキング制御の流れを説明する。図１８において、光源１１から出射されたＤＶＤ用の波長λ１の光及びＣＤ用の波長λ２の出射光は、回折素子１２の回折格子１３でそれぞれトラッキング制御に用いられる光に分離され、光ディスク２０に入射する。光ディスク２０で反射された反射光は集積プリズム１４のビームスプリッタ１７で分離され、非点収差生成素子１８で光軸を含んで直交する２つの断面で焦点距離が異なる光とされて受光器２３に入射する。非点収差生成素子１８を通過したレーザ光はフォーカス制御に用いられる。受光器２３に入射したレーザ光はＤＶＤ用フォーカス制御用、ＣＤ用フォーカス制御用、ＤＶＤ用トラッキング制御用、ＣＤ用トラッキング制御用の電気信号に変換され、光ディスク装置１７０本体の前記図示していない回路基板にあるアナログ信号処理部１７０ａに送られる。
【０１１６】
アナログ信号処理部１７０ａは入力された信号に演算・帯域処理を行い、サーボ処理部１７０ｂに出力する。サーボ処理部１７０ｂはアナログ信号処理部１７０ａからの信号を基にフォーカスエラー信号ＦＥＳ及びトラッキングエラー信号ＴＥＳを生成してモータ駆動部１７０ｃに出力する。モータ駆動部１７０ｃは入力されたフォーカスエラー信号ＦＥＳ及びトラッキングエラー信号ＴＥＳを基に対物レンズ１９を搭載する対物レンズ駆動部７４を駆動する電流を生成する。これにより光ディスク２０に集光した光束の焦点のずれ及びトラックに対するずれが極小になるように制御される。
【０１１７】
また、コントローラ１７０ｄにはアナログ信号処理部１７０ａ、サーボ処理部１７０ｂ、モータ駆動部１７０ｃの各部から送られる信号が入力される。コントローラ１７０ｄはこれらの信号の演算処理等を行い、この演算処理の結果（信号）を各部に送出し、各部にて駆動、処理を実行させることで各部の制御を行う。
【０１１８】
以上のように、本実施の形態６の光ディスク装置１７０は実施の形態１の光ピックアップ装置７０を備えている。すなわち、Ｌ１層２２からの反射光２７は、光ピックアップ装置７０の非点収差生成素子１８の輪帯部２９にのみ入射する構成としたため、段差部３０による影響を受ける度合いは小さい。そのため、光ディスク装置１７０を製造する場合に、光ピックアップ装置７０は複数の記録層を有する光ディスク２０を用いて対物レンズ１９をトラッキング方向に動作させて特性を評価する工程における不良率を低くすることができる。すなわち、光ピックアップ装置７０は、トラッキング方向への対物レンズ１９の動作時においてもＬ１層２２からの反射光２７は非点収差生成素子１８の輪帯部２９のみに入射するので、反射光消失状態は発生せず、この効果として光ディスク装置１７０を製造する場合の不良率を低くすることができる。ここで実施の形態１の光ピックアップ装置７０は実施の形態２から実施の形態５の光ピックアップ装置と置き換えても構わない。
【産業上の利用可能性】
【０１１９】
以上のように、本発明の光ピックアップ装置及び光ディスク装置は、複数の記録層を有する光ディスクを用いて対物レンズをトラッキング方向に動作させて特性を評価する工程における不良率が低くなる。よって、好んで光ピックアップ装置または光ディスク装置はパーソナルコンピュータ、ノートブック型コンピュータ等の電子機器に搭載される。
【図面の簡単な説明】
【０１２０】
【図１】（ａ）本実施の形態１の光ピックアップ装置におけるＬ０層からの反射光の経路を示す図、（ｂ）Ｌ１層からの反射光の経路を示す図、（ｃ）本実施の形態１における集積プリズムの構成図
【図２】（ａ）本実施の形態１における非点収差生成素子に入射するＬ０層からの反射光のスポットを示す図、（ｂ）本実施の形態１における非点収差生成素子に入射するＬ１層からの反射光のスポットを示す図、（ｃ）従来の非点収差生成素子に入射するＬ０層からの反射光のスポットを示す図、（ｄ）従来の非点収差生成素子に入射するＬ１層からの反射光のスポットを示す図
【図３】（ａ）本実施の形態１における受光器上のＬ１層からの反射光のスポットを示す図、（ｂ）従来の受光器上のＬ１層からの反射光のスポットを示す図
【図４】（ａ）本実施の形態１における回折素子の斜視構成図、（ｂ）回折素子の上面からの透視図、（ｃ）回折素子の側面からの断面図
【図５】（ａ）通常のミラーの断面図、（ｂ）フレネルミラーの断面図
【図６】（ａ）非点収差生成素子の動作図、（ｂ）光ディスクが近い場合の光スポット形状を示す図、（ｃ）光ディスクが遠い場合の光スポット形状を示す図
【図７】本実施の形態１の光ピックアップ装置における光学系の構成図
【図８】本実施の形態１の光ピックアップ装置の構成図
【図９】（ａ）本実施の形態１における他の例１の非点収差生成素子に入射するＬ０層からの反射光のスポットを示す図、（ｂ）本実施の形態１における他の例１の非点収差生成素子に入射するＬ１層からの反射光のスポットを示す図、（ｃ）本実施の形態１における他の例２の非点収差生成素子に入射するＬ０層からの反射光のスポットを示す図、（ｄ）本実施の形態１における他の例２の非点収差生成素子に入射するＬ１層からの反射光のスポットを示す図
【図１０】（ａ）通常のミラーの断面図、（ｂ）実施の形態１におけるフレネルミラーの断面図、（ｃ）本実施の形態２におけるフレネルミラーの断面図
【図１１】（ａ）本実施の形態２における非点収差生成素子に入射するＬ０層からの反射光のスポットを示す図、（ｂ）本実施の形態２における非点収差生成素子に入射するＬ１層からの反射光のスポットを示す図
【図１２】本実施の形態３の光ピックアップ装置における集積プリズムの構成図
【図１３】本実施の形態３の光ピックアップ装置における他の例の集積プリズムの構成図
【図１４】本実施の形態４の光ピックアップ装置における光学系の構成図
【図１５】本実施の形態５の光ピックアップ装置における光学系の構成図
【図１６】本実施の形態６の光ディスク装置における光ピックアップ装置駆動部の構成図
【図１７】本実施の形態６の光ディスク装置の構成図
【図１８】本実施の形態６の光ディスク装置におけるサーボの流れを示す図
【図１９】従来の光ピックアップ装置の光学系構成を示す図
【図２０】（ａ）通常の反射鏡の断面図、（ｂ）フレネルミラーの断面図
【図２１】フレネルミラーで構成された非点収差生成素子の平面図
【符号の説明】
【０１２１】
１１    光源
１２    回折素子
１２ａ、１２ｂ、１２ｃ    基板
１３    回折格子
１３ａ    ＤＶＤ用回折格子
１３ｂ    ＣＤ用回折格子
１３ｃ    第１凹凸部
１３ｄ    第１充填部
１３ｅ    第２凹凸部
１３ｆ    第２充填部
１４    集積プリズム
１５、１６    斜面
１７    ビームスプリッタ
１８    非点収差生成素子
１９    対物レンズ
２０    光ディスク
２１    Ｌ０層
２２    Ｌ１層
２３    受光器
２４    受光部
２５    出射光
２６、２７    反射光
２８    フレネルミラー
２９    輪帯部
３０    段差部
３１    ミラー
３２    フレネルミラー
３３    輪帯部
３４    段差部
４０    非点収差生成素子
４１    反射光
４２、４３    断面
４４，４５    焦点
４６    スポット
４７    受光器
４８    受光部
５０、５１、５２、５３、５４、５５    スポット
６０    波長板
６１    コリメートレンズ
６２    立上げミラー
６３    受光器
６４    記録層
７０    光ピックアップ装置
７１    基台
７２    結合ベース
７３    レーザモジュール
７４    対物レンズ駆動部
７５    カバー
８０、８４、９０    フレネルミラー
８１、８５、９１    輪帯部
８２、８６、９２    段差部
８３、８７、９３    非点収差生成素子
１０１、１１１    集積プリズム
１０２、１１２    斜面
１０３、１１３    ビームスプリッタ
１０４、１１４    センサ面
１０５、１１６    非点収差生成素子
１０６、１１７    フレネルレンズ
１１５    基板
１２１、１３１    光源
１２２    回折素子
１２３    回折格子
１２４、１３２、１５２    集積プリズム
１２５、１３３、１５３    非点収差生成素子
１２６、１３４    受光器
１２７、１３５    結合ベース
１２８、１３６    レーザモジュール
１３０、１５４    フレネルミラー
１４０    ホログラム
１４１    ビームスプリッタ
１４２    コリメートレンズ
１４３、１４４    立上げミラー
１４５    受光器
１４６、１４７    対物レンズ
１４８    対物レンズ駆動部
１４９    ＣＤ
１５０    ＤＶＤ
１５１    ＢＤ
１６０    光ピックアップモジュール
１６１    ベース
１６２    スピンドルモータ
１６２ａ    ターンテーブル
１６３    フィードモータ
１６４    スクリューシャフト
１６５    メインシャフト
１６６    サブシャフト
１６７    ラック
１６８    カバー
１７０    光ディスク装置
１７０ａ    アナログ信号処理部
１７０ｂ    サーボ処理部
１７０ｃ    モータ駆動部
１７０ｄ    コントローラ
１７１    筐体
１７１ａ    上部筐体
１７１ｂ    下部筐体
１７２    トレイ
１７３    ベゼル
１７４    イジェクトスイッチ
１７５    レール
１７６    外部コネクタ
【図１】
0005018646.tif 000002
【図２】
0005018646.tif 000003
【図３】
0005018646.tif 000004
【図４】
0005018646.tif 000005
【図５】
0005018646.tif 000006
【図６】
0005018646.tif 000007
【図７】
0005018646.tif 000008
【図８】
0005018646.tif 000009
【図９】
0005018646.tif 000010
【図１０】
0005018646.tif 000011
【図１１】
0005018646.tif 000012
【図１２】
0005018646.tif 000013
【図１３】
0005018646.tif 000014
【図１４】
0005018646.tif 000015
【図１５】
0005018646.tif 000016
【図１６】
0005018646.tif 000017
【図１７】
0005018646.tif 000018
【図１８】
0005018646.tif 000019
【図１９】
0005018646.tif 000020
【図２０】
0005018646.tif 000021
【図２１】
0005018646.tif 000022